(57)【特許請求の範囲】
【請求項１】
左右に並ぶ一方障子と他方障子を備え、両障子の縦框同士を回動可能に連結してあり、両障子の連結側上端部と両障子の連結側下端部の少なくとも一方に左右対向して端部部品を設けてあって、対向する端部部品同士が閉鎖時に当接するものであり、両障子の左右対向する一方の端部部品の見込面に、他方の端部部品に向けて開口する収容部を設けてあって、収容部に衝撃吸収装置を収容してあり、衝撃吸収装置は、収容部から突没する突没体を有しており、両障子の閉鎖時に、衝撃吸収装置の突没体が、他方の端部部品に当接し、かつ収容部に没入することを特徴とする折戸。
【発明の詳細な説明】
【技術分野】
【０００１】
本発明は、閉鎖時の衝撃を吸収するための衝撃吸収装置を備える折戸に関する。
【背景技術】
【０００２】
従来、特許文献１に示すように、クローゼットの開口部などに設置される折戸において、閉鎖時の衝突音や振動を抑えるための緩衝装置を備えるものがあった。この緩衝装置は、障子の吊元側の端縁部に取り付けてあり、障子の閉鎖時に、緩衝装置が縦枠に当接してダンパが圧縮され、閉鎖方向の力が減殺されて、ゆっくりと静かに閉じきるようになるものである。
【先行技術文献】
【特許文献】
【０００３】
【特許文献１】特開２０１４−１４５１７９号公報
【発明の概要】
【発明が解決しようとする課題】
【０００４】
しかしながら、このように緩衝装置を取り付けた折戸では、折戸自体が開口部の枠内をスライド可能な場合などにおいては、緩衝装置の当接対象が存在しないので、ダンパを機能させることができず、ゆっくりと閉じることができなかった。
【０００５】
本発明は、上記事情を鑑みたものであり、障子に設けた衝撃吸収装置を常に機能させて、ゆっくりと閉じることができる折戸を提供することを目的とする。
【課題を解決するための手段】
【０００６】
本願の請求項１の発明は、左右に並ぶ一方障子と他方障子を備え、両障子の縦框同士を回動可能に連結してあり、両障子の連結側上端部と両障子の連結側下端部の少なくとも一方に左右対向して端部部品を設けてあって、対向する端部部品同士が閉鎖時に当接するものであり、両障子の左右対向する一方の端部部品の見込面に、他方の端部部品に向けて開口する収容部を設けてあって、収容部に衝撃吸収装置を収容してあり、衝撃吸収装置は、収容部から突没する突没体を有しており、両障子の閉鎖時に、衝撃吸収装置の突没体が、他方の端部部品に当接し、かつ収容部に没入することを特徴とする。
【発明の効果】
【０００７】
本願の請求項１の発明によれば、一方障子と他方障子の連結部に衝撃吸収装置を設けてあり、常に衝撃吸収装置の当接対象が存在するので、折戸自体が開口部の枠内をスライド可能な場合などであっても、障子閉鎖時の衝撃を吸収して、ゆっくりと静かに閉じることができる。また、両障子の閉鎖時において、衝撃吸収装置の突没体が収容部に没入するので、衝撃吸収装置が目立たず、意匠性が良好である。
【図面の簡単な説明】
【０００８】
【図１】障子連結部の上下端部及び中央部の拡大正面図であり、一部を切り欠いて内部構造を示したものである。
【図２】閉鎖時の障子連結部を示し、（ａ）は上面図、（ｂ）は横断面図である。
【図３】開放時の障子連結部を示し、（ａ）は上面図、（ｂ）は横断面図である。
【図４】障子連結部の斜視図である。
【図５】折戸の正面図である。
【図６】折戸の横断面図である。
【図７】衝撃吸収装置についての各実施形態の説明図であり、（ａ）は第一実施形態、（ｂ）は第二実施形態、（ｃ）は第三実施形態、（ｄ）は第四実施形態である。
【図８】第二実施形態の障子閉鎖状態の説明図である。
【発明を実施するための形態】
【０００９】
以下、本発明の実施の形態を図面に基づいて説明する。なお、以下において、左右とは、図５に示すようにこの折戸を正面視した場合の左右を示し、この場合の手前側を前側、奥側を後側とする。この折戸の第一実施形態は、屋内においてクローゼットの開口部などに設置されるものであり、図５及び図６に示すように、躯体の開口部に納めた左右二枚の障子を備える。ここでは、右側の障子を一方障子１ａ、左側の障子を他方障子１ｂとする。一方障子１ａと他方障子１ｂは、何れも、開口部中央側の縦框２ａ，２ｂ、開口部端部側の縦框１１ａ，１１ｂ、上框１２ａ，１２ｂ及び下框１３ａ，１３ｂを有し、上框１２ａ，１２ｂ及び下框１３ａ，１３ｂの端面を縦框２ａ，２ｂ，１１ａ，１１ｂの側面に当接させ、縦框２ａ，２ｂ，１１ａ，１１ｂ側からネジ止めして四周框組みし、その内周側にパネル１４ａ，１４ｂを嵌め込んだ構成であり、両障子１ａ，１ｂの隣接する縦框（開口部中央側の縦框）２ａ，２ｂ同士を垂直軸周りに回動可能に連結してある。また、両障子１ａ，１ｂの、開口部端部側の上端部には、吊具１５ａ，１５ｂを設けてあって、吊具１５ａ，１５ｂは各障子１ａ，１ｂに対して垂直軸周りに回動自在であり、開口部端部側の下端部には、ピボット軸１６ａ，１６ｂを設けてある。さらに、両障子の上側の天井面と下側の床面には、それぞれレール１０１，１０２を設けてある。そして、吊具１５ａ，１５ｂが、上側のレール１０１を左右に走行自在となっていて、両障子１ａ，１ｂを吊り下げて支持しており、ピボット軸１６ａ，１６ｂが、下側のレール１０２に案内されている。一方障子１ａの連結側の縦框２ａの上下方向中央部には、取手１７を設けてあり、取手１７を前側に引くことで、図６に示すように、両障子１ａ，１ｂが前側に突出するように折れ曲がって開く。そして、両障子１ａ，１ｂを開いた状態で、折戸自体をレール１０１，１０２に沿ってスライド可能である。以下、両障子１ａ，１ｂの連結部についてさらに詳述する。
【００１０】
図２（ｂ）に示すように、一方障子１ａ及び他方障子１ｂの連結側の縦框２ａ，２ｂは、同じアルミ押出形材からなるものであり、その断面形状は、連結側に向けて開口する略コ字形となっていて、前側壁２１ａ，２１ｂと、後側壁２２ａ，２２ｂと、見込壁２３ａ，２３ｂからなる。ただし、前側壁２１ａ，２１ｂの連結側部分は、後側に向けて円弧状に凹んだ形状となっており、縦框２ａ，２ｂ全体として連結側に向けて先細っている。また、後側壁２２ａ，２２ｂの先端は、前側に向けて湾曲し、さらに連結側の反対側に向けて屈曲した略フ字形の軸部２４ａ，２４ｂとなっている。さらに、見込壁２３ａ，２３ｂの前端部には、連結側の反対側に向けて開口する略コ字形の嵌込溝２５ａ，２５ｂを形成してあり、嵌込溝２５ａ，２５ｂにパネル１４ａ，１４ｂの端部を嵌め込んである。なお、取手１７は、一方障子１ａの縦框２ａの前側壁２１ａに設けた孔を貫通して、見込壁２３ａにネジ止めして固定してある。
【００１１】
そして、左右の縦框２ａ，２ｂの開口内部に、アルミ押出形材からなる連結材４を設けてある。連結材４の断面形状は、前側が円弧状で、後側が平板状の、略半円形状であり、後述する縦框２ａ，２ｂの上下端部に取り付ける端部部品６ａ，７ａ，６ｂ，７ｂの分だけ、縦框２ａ，２ｂよりも短くなっている。また、図４に示すように、連結材４の上下端部には、その断面形状とほぼ同形状の蓋部材４１をネジ止めして取り付けてある。さらに、連結材４の後側面の左右方向中央部には、後側に向けて開口する溝部４２を設けてあり、溝部４２内に、樹脂製の軸受部材５を挿入してある。軸受部材５は、左右に断面略Ｇ字形の軸受部５１ａ，５１ｂを形成してあり、左右の軸受部５１ａ，５１ｂに、それぞれ一方障子１ａと他方障子１ｂの軸部２４ａ，２４ｂが回動自在に係合している。このように、連結材４によって一方障子１ａの縦框２ａと他方障子１ｂの縦框２ｂが回動自在に連結されており、両障子１ａ，１ｂは軸部２４ａ，２４ｂを中心に回動して折れ曲がる。この際、図３（ｂ）及び図４に示すように、縦框２ａ，２ｂの前側壁２１ａ，２１ｂが連結材４の半円形状の前側面に沿って移動するので、縦框２ａ，２ｂと連結材４の間に隙間が生じず、また縦框２ａ，２ｂ同士の隙間を連結材４が塞ぐことになるので、指挟みを防ぐことができる。なお、図１及び図２（ｂ）に示すように、縦框２ａ，２ｂの後側壁２２ａ，２２ｂの前面の上下方向略中央部に、樹脂製のスペーサ２６ａ，２６ｂを設けてあり、閉鎖時においてアルミ製部材同士である縦框２ａ，２ｂと連結材４が接触しないようにしてある。
【００１２】
図１及び図４に示すように、左右の縦框２ａ，２ｂの上下端部には、樹脂製の端部部品６ａ，７ａ，６ｂ，７ｂを取り付けてあり、上下の端部部品６ａ，７ａ，６ｂ，７ｂの間に、上下に蓋部材４１を取り付けた連結材４が納まっている。右側の縦框２ａの上側の端部部品６ａと左側の縦框２ｂの下側の端部部品７ｂは上下反転させた同部品であり、右側の縦框２ａの下側の端部部品７ａと左側の縦框２ｂの上側の端部部品６ｂも上下反転させた同部品であるから、ここでは上側の左右の端部部品６ａ，６ｂに基づき詳細を説明する。左右の端部部品６ａ，６ｂは、何れもブロック状のものであって、縦框２ａ，２ｂの上端部の略コ字形の開口部内に取り付けてあり、上面から縦框２ａ，２ｂのタッピングホールにネジ止めして固定してある。ただし、縦框２ａ，２ｂの後側壁２２ａ，２２ｂは切り欠いてあり、端部部品６ａ，６ｂの後側面が、後側壁２２ａ，２２ｂと略面一になっている。また、端部部品６ａ，６ｂの連結側の見込面は、縦框２ａ，２ｂの前側壁２１ａ，２１ｂ及び後側壁２２ａ，２２ｂの先端面よりも連結側に位置しており、両障子１ａ，１ｂの閉鎖時において、両端部部品６ａ，６ｂの見込面同士が当接する。さらに、上端部から前側及び上框１２ａ，１２ｂ側（連結側の反対側）に向けて鍔部６１ａ，６１ｂが延出しており、鍔部６１ａ，６１ｂが縦框２ａ，２ｂの前側壁２１ａ，２１ｂ及び見込壁２３ａ，２３ｂの上端面を覆っている。また、端部部品６ａ，６ｂの連結側の見込面の下部かつ見込方向中央には、後述の係合部材８ａ又は被係合部材８ｂを取り付けるための取付孔６２ａ，６２ｂを形成してある。そして、右側の一方障子１ａに取り付けた端部部品６ａは、上框１２ａ側に向けて延出する取付片６３ａと、後述の衝撃吸収装置３ａの収容部６４ａを有している。縦框２ａの見込壁２３ａのこれらに対応する部分が切り欠いてあり、取付片６３ａ及び収容部６４ａは、上框１２ａの上面の溝部１２１ａ内に納まっていて、取付片６３ａを溝部１２１ａの底面にネジ止めしてある。収容部６４ａは、略円柱形状で、内部が中空であり、端部部品６ａの連結側の見込面の取付孔６２ａの上側に開口している。また、左側の他方障子１ｂに取り付けた端部部品６ｂは、上框１２ｂ側に向けて延出する取付片６３ｂを有している。縦框２ｂの見込壁２３ｂのこれに対応する部分が切り欠いてあり、取付片６３ｂは、上框１２ｂの上面の溝部１２１ｂ内に納まっていて、取付片６３ｂを溝部１２１ｂの底面にネジ止めしてある。なお、左側の端部部品６ｂの連結側の見込面の取付孔６２ｂの上側には何もなく、平面状となっている。
【００１３】
また、図１〜図４に示すように、右側の端部部品６ａの取付孔６２ａには、係合部材８ａを挿入して取り付けてあり、左側の端部部品６ｂの取付孔６２ｂには、被係合部材８ｂを挿入して取り付けてあって、係合部材８ａと被係合部材８ｂは、何れも取付孔６２ａ，６２ｂに挿入した最奥の基端部を、上側から端部部品６ａ，６ｂにネジ止めしてある。係合部材８ａは、先端が端部部品６ａの連結側の見込面から突出しており、先端部の上面には係合凸部８１ａを形成してある。係合凸部８１ａの先端側は傾斜面８２ａになっており、基端側は円弧状になっている。一方、被係合部材８ｂは、先端が端部部品６ｂの連結側の見込面から突出しており、先端部の下面には係合部材８ａの係合凸部８１ａが丁度嵌まる円弧状の係合凹部８１ｂを形成してある。また、係合凹部８１ｂの先端側には、係合部材８ａの傾斜面８２ａと略平行な傾斜面８２ｂを形成してある。
【００１４】
さらに、図１〜図４に示すように、右側の端部部品６ａの収容部６４ａには、衝撃吸収装置３ａを収容してあり、連結側の見込面には、衝撃吸収装置３ａと係合部材８ａが上下に離隔して並んでいる。衝撃吸収装置３ａは、円柱形状の本体部３１ａと、本体部３１ａの連結側から進退し収容部６４ａから突没する突没体３２ａを有しており、本体部３１ａ内のオイルやスプリングなどによって、突没体３２ａが受けた衝撃を吸収するものである。本体部３１ａは、一方障子１ａの連結側の見込面に対して直交して延びており、突没体３２ａの進退方向も、同じく一方障子１ａの連結側の見込面に対して直交している。突没体３２ａに力が作用していない状態では、突没体３２ａは端部部品６ａの連結側の見込面から突出しており、突没体３２ａに力が作用すると、突没体３２ａは上框１２ａ側に押し込まれ、完全に収容部６４ａに没入する。
【００１５】
以上が上側の端部部品６ａ，６ｂについての説明であり、下側の端部部品７ａ，７ｂは、これを上下及び左右に反転させた構成となっている。すなわち、端部部品７ａ，７ｂの下端部には鍔部７１ａ，７１ｂを設けてあり、連結側の見込面の上部かつ見込方向中央には、係合部材８ａ又は被係合部材８ｂを取り付けるための取付孔７２ａ，７２ｂを形成してある。そして、左側の他方障子１ｂに取り付けた端部部品７ｂは、下框１３ｂ側に向けて延出する取付片７３ｂと、衝撃吸収装置３ｂの収容部７４ｂを有しており、収容部７４ｂは、略円柱形状で、内部が中空であり、端部部品７ｂの連結側の見込面の取付孔７２ｂの下側に開口している。また、右側の一方障子１ａに取り付けた端部部品７ａは、下框１３ａ側に向けて延出する取付片７３ａを有しており、連結側の見込面の取付孔７２ａの下側には何もなく、平面状となっている。そして、図１及び図４に示すように、右側の端部部品７ａの取付孔７２ａには、係合部材８ａを挿入して取り付けてあり、左側の端部部品７ｂの取付孔７２ｂには、被係合部材８ｂを挿入して取り付けてある。この係合部材８ａ及び被係合部材８ｂは、上側の端部部品６ａ，６ｂに取り付けたものと同じであるが、上下に反転している。さらに、左側の端部部品７ｂの収容部７４ｂには、本体部３１ｂと突没体３２ｂからなる衝撃吸収装置３ｂを収容してあり、連結側の見込面には、被係合部材８ｂと衝撃吸収装置３ｂが上下に離隔して並んでいる。
【００１６】
このように、一方障子１ａの連結側の縦框２ａの上端部の端部部品６ａの見込面と、他方障子１ｂの連結側の縦框２ｂの下端部の端部部品７ｂの見込面に、それぞれ衝撃吸収装置３ａ，３ｂを設けてあり、両端部部品６ａ，７ｂは同部品を上下反転させたものであるから、両衝撃吸収装置３ａ，３ｂは一方障子１ａ及び他方障子１ｂの上下中心に対して対称に位置している。そして、縦框２ａ，２ｂの後端部に設けた軸部２４ａ，２４ｂに対し、衝撃吸収装置３ａ，３ｂと、係合部材８ａ及び被係合部材８ｂを前側に設けてあるので、両障子１ａ，１ｂの開閉に伴って、これらが機能する。
【００１７】
すなわち、この折戸について、開放状態（図３（ａ））から一方障子１ａ及び他方障子１ｂを閉じると、まず、折戸の上側部分においては、係合部材８ａの傾斜面８２ａと被係合部材８ｂの傾斜面８２ｂが当接し、両面が相互に摺動して、係合部材８ａが下向きに、被係合部材８ｂが上向きにしなるように変形し、係合部材８ａの係合凸部８１ａが両縦框２ａ，２ｂ間の左右方向中央で被係合部材８ｂの係合凹部８１ｂに嵌まる。また、折戸の下側部分においては、係合部材８ａの傾斜面８２ａと被係合部材８ｂの傾斜面８２ｂが当接し、両面が相互に摺動して、係合部材８ａが上向きに、被係合部材８ｂが下向きにしなるように変形し、係合部材８ａの係合凸部８１ａが両縦框２ａ，２ｂ間の左右方向中央で被係合部材８ｂの係合凹部８１ｂに嵌まる。これにより、両障子１ａ，１ｂが互いに引き寄せられるが、そこで、折戸の上側部分においては、右側の端部部品６ａに設けた衝撃吸収装置３ａの突没体３２ａが、対向する左側の端部部品６ｂの見込面に当接し、閉鎖時の衝撃を吸収しつつ、収容部６４ａ内へ押し込まれていき、閉鎖状態（図２（ａ））では、完全に収容部６４ａに没入する。また、折戸の下側部分においては、左側の端部部品７ｂに設けた衝撃吸収装置３ｂの突没体３２ｂが、対向する右側の端部部品７ａの見込面に当接し、閉鎖時の衝撃を吸収しつつ、収容部７４ｂ内へ押し込まれていき、閉鎖状態では、完全に収容部７４ｂに没入する。こうして、先に係合部材８ａ及び被係合部材８ｂが機能して両障子１ａ，１ｂを引き寄せつつ、その後衝撃吸収装置３ａ，３ｂが機能してゆっくりと静かに閉じることができ、最後は係合部材８ａ及び被係合部材８ｂにより両障子１ａ，１ｂが閉鎖状態でロックされる。なお、閉鎖状態において、一方障子１ａと他方障子１ｂの回転中心である軸部２４ａ，２４ｂよりも前側で、上側の左右の端部部品６ａ，６ｂ及び下側の左右の端部部品７ａ，７ｂの見込面同士がそれぞれ当接しているので、両障子１ａ，１ｂが逆向き（後側に突出する向き）に折れることはない。
【００１８】
このように構成した本発明の折戸の第一実施形態によれば、衝撃吸収装置３ａ，３ｂによって、一方障子１ａと他方障子１ｂの閉鎖時の衝撃を吸収して、ゆっくりと静かに閉じることができるものであって、両障子１ａ，１ｂの連結部に衝撃吸収装置３ａ，３ｂを設けてあり、常に衝撃吸収装置３ａ，３ｂの突没体３２ａ，３２ｂの当接対象（対向する端部部品６ｂ，７ａ）が存在し、折戸自体に衝撃吸収機能を持たせているので、折戸自体が開口部の枠内をスライド可能な場合などであっても、衝撃吸収装置３ａ，３ｂを機能させることができる。また、衝撃吸収装置３ａ，３ｂを、一方障子１ａの連結側の見込面の上部と他方障子１ｂの連結側の見込面の下部に設けてあるので、上下何れかのみに設ける場合や、一方障子１ａ又は他方障子１ｂのみに設ける場合と比べて、両障子１ａ，１ｂの閉鎖時の衝撃をバランスよく吸収できる。さらに、衝撃吸収装置３ａ，３ｂが、一方障子１ａの上部と他方障子１ｂの下部の上下対称位置に設けてあり、衝撃吸収装置３ａ，３ｂを取り付ける端部部品６ａ，７ｂとして、上下左右反転させた同部品を用いることができ、また、衝撃吸収装置３ａ，３ｂの当接対象である端部部品６ｂ，７ａも、上下左右反転させた同部品を用いることができるので、加工が共通化され、製造費を抑えることができる。また、端部部品６ａ，６ｂ，７ａ，７ｂに、衝撃吸収装置３ａ，３ｂと、係合部材８ａ又は被係合部材８ｂを併せて設けてあり、衝撃吸収のための機構とロックのための機構を別々に搭載する必要がないので、製造費を抑えることができる。さらに、衝撃吸収装置３ａ，３ｂと、係合部材８ａ又は被係合部材８ｂは、何れも端部部品６ａ，６ｂ，７ａ，７ｂの連結側の見込面に設けてあり、両障子１ａ，１ｂの閉鎖時には、上側の端部部品６ａ，６ｂ同士及び下側の端部部品７ａ，７ｂ同士が当接して、衝撃吸収装置３ａ，３ｂと係合部材８ａ及び被係合部材８ｂは何れも見えなくなるので、意匠性が良好である。
【００１９】
続いて、この折戸の第二実施形態〜第四実施形態について説明する。これらの実施形態は、何れも第一実施形態と概ね同様の構成を備えるが、衝撃吸収装置３ａ，３ｂに関する部分のみがそれぞれ異なっている。何れの実施形態でも、上下の衝撃吸収装置３ａ，３ｂは同様の構成となっているが、以下においては、上側の衝撃吸収装置３ａに基づいて、模式的な図により、第一実施形態（図７（ａ））と比較して説明する。
【００２０】
まず、第二実施形態について説明する。第二実施形態は、図７（ｂ）に示すように、衝撃吸収装置３ａの突没体３２ａが当接する端部部品６ｂの見込面に、凹部６５ｂを設けてある。凹部６５ｂは、突没体３２ａが入る大きさであって、突没体３２ａの進退幅よりも浅いものである。両障子１ａ，１ｂの閉鎖時には、突没体３２ａが凹部６５ｂの底面に当接し、閉鎖時の衝撃を吸収しつつ、収容部６４ａ内へ押し込まれていき、閉鎖状態では、図８に示すように、突没体３２ａの先端部が凹部６５ｂに呑み込まれ、その他の部分が収容部６４ａに没入する。
【００２１】
この第二実施形態によれば、第一実施形態と同様の作用効果に加え、両障子１ａ，１ｂの閉鎖時において、衝撃吸収装置３ａの突没体３２ａの先端部が凹部６５ｂに呑み込まれるので、より衝撃吸収装置３ａが目立たず、意匠性が良好である。また、図７（ａ）に示すような、凹部がない場合と比較して、衝撃吸収装置３ａの突没体３２ａが対向する端部部品６ｂに当接する際、突没体３２ａの先端面と端部部品６ｂの当接面が平行に近くなるので、衝撃吸収装置３ａをよりスムーズに動作させることができる。
【００２２】
次に、第三実施形態について説明する。第三実施形態は、図７（ｃ）に示すように、衝撃吸収装置３ａの突没体３２ａの先端面と、当接する端部部品６ｂの見込面が、当接時に平行になるように、先端面を、見込方向に対して、後側から前側に向けて連結側に傾斜させてある。両障子１ａ，１ｂの閉鎖時には、突没体３２ａが、対向する端部部品６ｂの見込面に平行な面で当接し、閉鎖時の衝撃を吸収しつつ、収容部６４ａ内へ押し込まれていき、閉鎖状態では、完全に収容部６４ａに没入する。
【００２３】
この第三実施形態によれば、第一実施形態と同様の作用効果に加え、両障子１ａ，１ｂの閉鎖時において、図７（ａ）に示すような、衝撃吸収装置３ａの突没体３２ａの先端面が傾斜していない場合と異なり、衝撃吸収装置３ａの突没体３２ａが対向する端部部品６ｂに当接する際、突没体３２ａの先端面と端部部品６ｂの当接面が平行になるので、衝撃吸収装置３ａをよりスムーズに動作させることができる。
【００２４】
次に、第四実施形態について説明する。第四実施形態は、図７（ｄ）に示すように、衝撃吸収装置３ａの突没体３２ａの先端面と、当接する端部部品６ｂの見込面のなす角が小さくなるように、衝撃吸収装置３ａの取付角度自体を、一方障子１ａの見付方向に対して突没体３２ａ側が後側寄りとなるように傾斜させてあり、突没体３２ａの進退方向も同様に傾斜している。両障子１ａ，１ｂの閉鎖時には、突没体３２ａが、対向する端部部品６ｂの見込面に当接し、閉鎖時の衝撃を吸収しつつ、収容部６４ａ内へ押し込まれていき、閉鎖状態では、完全に収容部６４ａに没入する。
【００２５】
この第四実施形態によれば、第一実施形態と同様の作用効果に加え、両障子１ａ，１ｂの閉鎖時において、図７（ａ）に示すような、衝撃吸収装置３ａが傾斜していない場合と比較して、衝撃吸収装置３ａの突没体３２ａが対向する端部部品６ｂに当接する際、突没体３２ａの先端面と端部部品６ｂの当接面が平行に近くなるので、衝撃吸収装置３ａをよりスムーズに動作させることができる。
【００２６】
本発明は、上記の実施形態に限定されない。たとえば、端部部品は、衝撃吸収装置を収容できるものであれば、その形状や框への固定方法はどのようなものであってもよい。また、端部部品を有さず、框に直接衝撃吸収装置を取り付けたものであってもよい。その場合、衝撃吸収装置は、一方障子の上部と他方障子の下部に設けてあれば、必ずしも上下対称に位置していなくてもよいが、特に上下対称位置に設けることで、両障子の縦框の衝撃吸収装置取付側の形状を同じにできるので、両縦框が共通化され、製造費を抑えることができる。そして、端部部品を有さない場合において、衝撃吸収装置に対向する障子の見込面に、第二実施形態のような凹部を設けてもよい。また、第三実施形態や第四実施形態のように、衝撃吸収装置の先端面や衝撃吸収装置自体を傾斜させた場合において、対向する当接面に凹部を設けてもよい。さらに、この折戸は、クローゼットの開口部の戸のほか、浴室戸など、種々の用途に用いることができる。なお、上記実施形態では、右側の障子を一方障子、左側の障子を他方障子として、右側の障子の上部と左側の障子の下部に衝撃吸収装置を設けたが、左右どちらの障子を一方障子としてもよく、左側の障子の上部と右側の障子の下部に衝撃吸収装置を設けたものであってもよい。
【符号の説明】
【００２７】
１ａ  一方障子
１ｂ  他方障子
２ａ  縦框（一方障子）
２ｂ  縦框（他方障子）
３ａ  衝撃吸収装置（一方障子）
３ｂ  衝撃吸収装置（他方障子）
６ａ，７ａ  端部部品（一方障子）
６ｂ，７ｂ  端部部品（他方障子）
３２ａ  突没体（一方障子）
３２ｂ  突没体（他方障子）
６４ａ  収容部
６５ｂ  凹部
【図１】
0006713835.tif 000002
【図２】
0006713835.tif 000003
【図３】
0006713835.tif 000004
【図４】
0006713835.tif 000005
【図５】
0006713835.tif 000006
【図６】
0006713835.tif 000007
【図７】
0006713835.tif 000008
【図８】
0006713835.tif 000009